(57)【要約】【課題】本発明は、携帯機器への充電機能を備えた電子機器とそれを搭載した自動車に関するもので、携帯機器の損傷を防止することを目的とするものである。【解決手段】携帯機器５を非接触式で充電する充電装置６と、この非接触式の充電装置６に接続された制御部１７とを備え、制御部１７にカメラ１０を接続するとともに、制御部１７は、カメラ１０で携帯機器５の充電マーク２１を検出後に、充電装置６に通電させる構成としたものであるので、金属薄膜シールが、充電マーク２１部分に貼付されているときでも、携帯機器５の損傷を防止することができる。【選択図】図２
2014003563.tif 000002
【特許請求の範囲】
【請求項１】
携帯機器を非接触式で充電する充電装置と、この非接触式充電装置に接続された制御部とを備え、前記制御部にカメラを接続するとともに、前記制御部は、前記カメラで前記携帯機器の充電マークを検出後に、前記充電装置に通電させる構成とした電子機器。
【請求項２】
前記制御部にディスプレイを接続するとともに、前記制御部は、前記ディスプレイ内に、前記カメラで撮影した前記携帯機器の充電マークを確認する確認エリアを表示させる構成とした請求項１に記載の電子機器。
【請求項３】
前記制御部は、前記携帯機器の充電マーク非確認時には、前記ディスプレイに警告表示と、この警告表示の確認入力部を表示させる構成とした請求項１または２に記載の電子機器。
【請求項４】
請求項１から３のいずれか一つに記載の電子機器を車内に設置した自動車。
【発明の詳細な説明】
【技術分野】
【０００１】
本発明は、携帯機器を、非接触式で充電する充電装置を備えた電子機器とそれを搭載した自動車に関するものである。
【背景技術】
【０００２】
この種の電子機器は、携帯機器を非接触式で充電する充電装置と、この接触式充電装置に接続された制御部とを備え、前記制御部には、前記充電装置の充電面に、コインやクリップなどの異物が存在したときに、その異物を検出する異物検出回路が接続されている（例えば、下記特許文献１）。
【先行技術文献】
【特許文献】
【０００３】
【特許文献１】特開２０１１−３６１２５号公報
【発明の概要】
【発明が解決しようとする課題】
【０００４】
上記従来例では、充電装置の充電面に携帯機器が置かれると、磁束による非接触充電が行われるようになっている。
【０００５】
また、この充電面にコインやクリップなどの異物が存在したときには、前記磁束によってコインやクリップなどが高温化する。これを防止するために、異物検出回路によってこれらの異物検出を行い、携帯機器への充電を行わせないようにしている。
【０００６】
従来の異物検出回路は、コインやクリップなどの異物が、磁気特性（例えば磁束の集中性）の大きいものである場合には、この異物の存在を簡単に検出することができる。しかし、例えばキャラクターが描かれた金属薄膜シールが、携帯機器に貼り付けられていたときには、この金属薄膜シールの磁気特性が小さいので、それを異物として検出することが出来なかった。
【０００７】
その結果、携帯機器への充電は開始されるが、金属薄膜シールは熱容量が小さいので、磁束による渦電流で急速に高温化し、それによって、この金属薄膜シールを貼付した携帯機器を損傷させることがある。
【０００８】
そこで、本発明は、異物の存在による携帯機器の損傷を防止することを目的とするものである。
【課題を解決するための手段】
【０００９】
そして、この目的を達成するために本発明は、携帯機器を非接触式で充電する充電装置と、この非接触式充電装置に接続された制御部とを備え、制御部にカメラを接続するとともに、制御部は、カメラで携帯機器の充電マークを検出後に、充電装置に通電させる構成とし、これによって所期の目的を達成するものである。
【発明の効果】
【００１０】
以上のように本発明は、携帯機器を非接触式で充電する充電装置と、この非接触式充電装置に接続された制御部とを備え、制御部にカメラを接続するとともに、制御部は、カメラで携帯機器の充電マークを検出後に、充電装置に通電させる構成としたものであるので、異物の存在による携帯機器の損傷を防止することができる。
【００１１】
すなわち、携帯機器の充電マークは、その充電部（充電コイル）に対向して配置されているので、この充電マークをカメラで検出することが出来ると言うことは、そこに金属薄膜シールが貼り付けられていないと言うことが確認できるということである。そして、この確認後に充電装置に通電させるので、異物の存在による携帯機器の損傷を防止することができるのである。
【図面の簡単な説明】
【００１２】
【図１】本発明の一実施形態にかかる電子機器を搭載した自動車を示す斜視図
【図２】同電子機器の正面図
【図３】同動作を示す図
【図４】同携帯機器の斜視図
【図５】同電子機器の正面図
【図６】同電子機器の正面図
【図７】同電子機器の制御ブロック図
【図８】同動作フローチャート
【発明を実施するための形態】
【００１３】
以下、本発明の一実施形態を、添付図面を用いて説明する。
【００１４】
（実施の形態１）
図１において、自動車１の車内２の前方にはハンドル３が配置されている。
【００１５】
また、ハンドル３の側方には、電子機器の本体ケース４が配置され、さらに本体ケース４に対向して運転席（図示せず）の側方には、図３、図４に示す携帯機器５を、非接触式で充電する充電装置６が配置されている。
【００１６】
前記電子機器の本体ケース４は、図２に示すように、その前面側（車内２側）に、ディスプレイ７を有し、またディスプレイ７の左右側、下側には、電源スイッチ８と各種の操作スイッチ９が配置され、さらにディスプレイ７の上側にはカメラ１０が配置されている。
【００１７】
図７は制御ブロック図を示し、携帯機器５は、充電電池１１と、それに接続された制御部１２、および充電コイル１３とを備えている。
【００１８】
また、充電装置６は、携帯機器５の充電コイル１３に向けて磁束を供給する充電コイル１４と、この充電コイル１４に接続した駆動回路１５と、この駆動回路１５に接続された制御部１６とを備えている。
【００１９】
さらに、前記電子機器の本体ケース４内には、制御部１６に接続された制御部１７が設けられ、この制御部１７に電源スイッチ８、操作スイッチ９、カメラ１０、および画像処理部１８、メモリ１９が接続されている。
【００２０】
また、携帯機器５は図３に示すように、その表面側に表示部２０が設けられ、また裏面側には、図４に示すごとく、内部の充電コイル１３に対向して充電マーク２１が設けられている。
【００２１】
この充電マーク２１は、非接触充電可能な携帯機器５であることを示すとともに、内部の充電コイル１３の場所を示すものである。
【００２２】
また、この充電マーク２１を確認するための比較データは、上述したメモリ１９内に格納されており、充電マーク２１と比較データの比較は、制御部１７によって画像処理部１８で行われるようになっている。
【００２３】
以上の構成において、車内２で、携帯機器５への充電を行う動作について説明するが、説明の煩雑化を避けるために電子機器による音楽や映像などの再生機能に対する動作説明は省略する。
【００２４】
車内２で、携帯機器５への充電を行うためには、先ずは電源スイッチ８をＯＮ状態にし、操作スイッチ９の中で充電を行うスイッチを選択し、操作する（図８のＳ１）。
【００２５】
すると、ディスプレイ７、カメラ１０、制御部１７、画像処理部１８、メモリ１９が起動される（図８のＳ２）。
【００２６】
この状態になると、次にディスプレイ７には、図５に示すごとく充電に際する注意事項が表示される（図８のＳ３）。
【００２７】
使用者は、この状況においてディスプレイ７の注意事項を確認し、ディスプレイ７内の確認ボタン２２を押すことになる（図８のＳ４）。
【００２８】
すると、図２に示すごとく、ディスプレイ７には、カメラ１０で携帯機器５の充電マーク２１を読み取るための表示がなされる（図８のＳ５）。
【００２９】
この図２においては、制御部１７により、ディスプレイ７内に、カメラ１０で撮影した携帯機器５の充電マーク２１を確認する確認エリア２３と、カメラ１０による確認動作説明文表示エリア２４と、確認動作開始ボタン２５が表示されている。
【００３０】
この状態において使用者は、図３に示すごとく携帯機器５の充電マーク２１をカメラ１０に向け、確認エリア２３内に充電マーク２１が表示されるよう携帯機器５を動かし、確認エリア２３内に充電マーク２１が表示された状態で確認動作開始ボタン２５を操作する（図８のＳ６）。
【００３１】
すると、制御部１７による制御により、画像処理部１８で、充電マーク２１と、メモリ１９内に格納された比較データが比較され（図８のＳ７）、適切に充電マーク２１が認識できたときには（図８のＳ８）、充電装置６の制御部１６に起動許可を発する（図８のＳ９）。
【００３２】
つまり、制御部１６を介して駆動回路１５が駆動され、充電コイル１４から携帯機器５の充電コイル１３に向けて磁束供給が開始され、充電電池１１への充電が開始される。
【００３３】
一方、（図８のＳ６）の状態において、所定時間以上（例えば１分以上）確認動作開始ボタン２５が操作されないと、この充電準備動作は終了となる（図８のＳ１０、Ｓ１１）。
【００３４】
また、（図８のＳ８）において、充電マーク２１が適切に認識できなかったときには、制御部１７は、図６に示すごとく、ディスプレイ７内に、携帯機器５へのシール貼付警告を行う表示エリア（警告表示の一例）２６と、その確認ボタン（確認入力部の一例）２７、および充電装置６の充電面への異物存在有無警告を行う表示エリア（警告表示の一例）２８と、その確認ボタン（確認入力部の一例）２９を表示させる（図８のＳ１２）。
【００３５】
そして、この図６の状態において、確認ボタン２７、２９が押されると（図８のＳ１３）、制御部１７は、充電装置６の制御部１６に起動許可を発する（図８のＳ１４）。
【００３６】
つまり、制御部１６を介して駆動回路１５が駆動され、充電コイル１４から携帯機器５の充電コイル１３に向けて磁束供給が開始され、充電電池１１への充電が開始される。
【００３７】
また、（図８のＳ１３）において、確認ボタン２７、２９が押されないと、ディスプレイ７には、充電が行えない旨の警告表示がなされ（図８のＳ１５）、所定時間後（例えば１分後）、この充電準備動作は終了となる（図８のＳ１６、Ｓ１７）。
【００３８】
以上のように本実施形態は、携帯機器５を非接触式で充電する充電装置６と、この非接触式の充電装置６に接続された制御部１７とを備え、前記制御部１７にカメラ１０を接続するとともに、前記制御部１７は、カメラ１０で前記携帯機器５の充電マーク２１を検出後に、前記充電装置６に通電させる構成としたものであるので、金属薄膜シールが、充電マーク２１部分に貼付されているときでも、携帯機器５の損傷を防止することができる。
【００３９】
すなわち、携帯機器５の充電マーク２１は、その充電部（充電コイル１３）に対向して配置されているので、この充電マーク２１をカメラ１０で検出することが出来ると言うことは、そこに金属薄膜シールが貼り付けられていないことが確認できるということであり、この確認後に前記充電装置６に通電させるので、金属薄膜シール（異物）の存在による携帯機器５の損傷を防止することができるのである。
【産業上の利用可能性】
【００４０】
以上のように本発明は、携帯機器を非接触式で充電する充電装置と、この非接触式充電装置に接続された制御部とを備え、前記制御部にカメラを接続するとともに、前記制御部は、カメラで前記携帯機器の充電マークを検出後に、前記充電装置に通電させる構成としたものであるので、異物の存在による携帯機器の損傷を防止することができる。
【００４１】
したがって、各種携帯機器の充電装置としての活用が期待されるものとなる。
【符号の説明】
【００４２】
１  自動車
２  車内
３  ハンドル
４  本体ケース
５  携帯機器
６  充電装置
７  ディスプレイ
８  電源スイッチ
９  操作スイッチ
１０  カメラ
１１  充電電池
１２  制御部
１３  充電コイル
１４  充電コイル
１５  駆動回路
１６  制御部
１７  制御部
１８  画像処理部
１９  メモリ
２０  表示部
２１  充電マーク
２２  確認ボタン
２３  確認エリア
２４  確認動作説明文表示エリア
２５  確認動作開始ボタン
２６  表示エリア
２７  確認ボタン
２８  表示エリア
２９  確認ボタン
【図１】
2014003563.tif 000003
【図２】
2014003563.tif 000004
【図３】
2014003563.tif 000005
【図４】
2014003563.tif 000006
【図５】
2014003563.tif 000007
【図６】
2014003563.tif 000008
【図７】
2014003563.tif 000009
【図８】
2014003563.tif 000010
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
携帯機器を非接触式で充電する充電装置と、この非接触式充電装置に接続された制御部と、この制御部に接続したディスプレイ、および充電を行うスイッチとを備え、前記制御部に、前記携帯機器の充電コイルに対向して設けた充電マークを読み取るカメラを接続するとともに、前記制御部は、前記充電を行うスイッチの操作後に、前記ディスプレイに、前記カメラで前記携帯機器の充電マークを読み取るための表示を行い、その後、前記カメラで前記携帯機器の充電マークを検出後に、前記充電装置に通電させる構成とした電子機器。
【請求項２】
前記制御部にディスプレイを接続するとともに、前記制御部は、前記ディスプレイ内に、前記カメラで撮影した前記携帯機器の充電マークを確認する確認エリアを表示させる構成とした請求項１に記載の電子機器。
【請求項３】
前記制御部は、前記携帯機器の充電マーク非確認時には、前記ディスプレイに警告表示と、この警告表示の確認入力部を表示させ、この確認入力部の確認操作時に前記充電装置への通電を行う構成とした請求項１または２に記載の電子機器。
【請求項４】
請求項１から３のいずれか一つに記載の電子機器を車内に設置した自動車。
【手続補正２】
【補正対象書類名】明細書
【補正対象項目名】０００９
【補正方法】変更
【補正の内容】
【０００９】
そして、この目的を達成するために本発明は、携帯機器を非接触式で充電する充電装置と、この非接触式充電装置に接続された制御部と、この制御部に接続したディスプレイ、および充電を行うスイッチとを備え、前記制御部に、前記携帯機器の充電コイルに対向して設けた充電マークを読み取るカメラを接続するとともに、前記制御部は、前記充電を行うスイッチの操作後に、前記ディスプレイに、前記カメラで前記携帯機器の充電マークを読み取るための表示を行い、その後、前記カメラで前記携帯機器の充電マークを検出後に
、前記充電装置に通電させる構成とし、これによって所期の目的を達成するものである。
【手続補正３】
【補正対象書類名】明細書
【補正対象項目名】００１０
【補正方法】変更
【補正の内容】
【００１０】
以上のように本発明は、携帯機器を非接触式で充電する充電装置と、この非接触式充電装置に接続された制御部と、この制御部に接続したディスプレイ、および充電を行うスイッチとを備え、前記制御部に、前記携帯機器の充電コイルに対向して設けた充電マークを読み取るカメラを接続するとともに、前記制御部は、前記充電を行うスイッチの操作後に、前記ディスプレイに、前記カメラで前記携帯機器の充電マークを読み取るための表示を行い、その後、前記カメラで前記携帯機器の充電マークを検出後に、前記充電装置に通電させる構成としたものであるので、金属薄膜シールが携帯機器の充電マーク部分に貼り付けられた場合でも、携帯機器の損傷を防止することができる。
【手続補正４】
【補正対象書類名】明細書
【補正対象項目名】００１１
【補正方法】変更
【補正の内容】
【００１１】
すなわち、携帯機器の充電マークは、その充電部（充電コイル）に対向して配置されているので、この充電マークをカメラで検出することが出来ると言うことは、そこに金属薄膜シールが貼り付けられていないと言うことが確認できるということである。そして、この確認後に充電装置に通電させるので、この場合でも携帯機器の損傷を防止することができるのである。